(57)【要約】      （修正有）【課題】特に回転可能なマッサージボールを備えることにより、シャワーを浴びながらシャワーヘッドによりマッサージをすることができるマッサージ機能付きシャワーヘッドを提供する。【解決手段】ハンドル１０と、蓋部２０と、複数のマッサージボール４０と、押圧部材５０とを有し、前記ハンドル１０は、前端に設けられる結合ヘッドを備え、前記蓋部２０は、複数の貫通孔及び複数の噴射孔２１２が貫設される蓋板２１を備える。前記複数のマッサージボール４０は、夫々回転可能に前記蓋板２１の複数の貫通孔に設けられ、前記押圧部材５０は、前記ハンドル１０の結合ヘッドと前記蓋部２０との間に位置すると共に、前記マッサージボール４０と当接する押圧片５１と、該押圧片５１をマッサージボール４０に押圧させるために、該押圧片５１と結合ヘッドとの間に弾力部５２を設けて構成する。【選択図】図２
0003154334.tif 000002
【実用新案登録請求の範囲】
【請求項１】
ハンドルと、蓋部と、複数のマッサージボールと、押圧部材とを有し、
前記ハンドルは、内部に湯水を通過させるための通水路が形成される握持部と、該握持部の前端に設けられると共に、該通水路と連通するように形成される通水孔とを有する結合ヘッドとを備え、
前記蓋部は、複数の貫通孔及び複数の噴射孔が貫設される蓋板と、該蓋板の後側から前記ハンドルへ向かって延出すると共に、前記結合ヘッドに設けられる螺合部とを備え、
前記複数のマッサージボールは、夫々回転可能に前記蓋板の複数の貫通孔に設けられ、
前記押圧部材は、前記ハンドルの結合ヘッドと前記蓋部との間に位置すると共に、前記マッサージボールと当接する押圧片と、該押圧片をマッサージボールに押圧させるために、該押圧片と結合ヘッドとの間に設けられる弾力部とを有することを特徴するマッサージ機能付きシャワーヘッド。
【請求項２】
前記弾力部がスプリングであることを特徴とする請求項１に記載のマッサージ機能付きシャワーヘッド。
【請求項３】
前記弾力部はリング状を呈し、一端が前記押圧片の周りに装着されると共に、他端が結合ヘッドへ向かって延出し、外周面に複数の開口が形成されることを特徴とする請求項１に記載のマッサージ機能付きシャワーヘッド。
【請求項４】
前記押圧片は、前記マッサージボールが当接する当接面と、該当接面における、マッサージボールに対応する箇所に凹設される凹面とを備えることを特徴とする請求項１に記載のマッサージ機能付きシャワーヘッド。
【請求項５】
前記押圧片は、前記マッサージボールが当接する当接面と、該当接面のマッサージボールに対応する箇所に凹設される凹面とを備えることを特徴とする請求項２に記載のマッサージ機能付きシャワーヘッド。
【請求項６】
前記押圧片は、前記マッサージボールが当接する当接面と、該当接面のマッサージボールに対応する箇所に凹設される凹面とを備えることを特徴とする請求項３に記載のマッサージ機能付きシャワーヘッド。
【請求項７】
前記蓋部の螺合部と前記蓋板との間に環状の嵌合溝が形成され、
さらに、前記嵌合溝に嵌設されると共に、前記結合ヘッドに当接されるワッシャーを有することを特徴とする請求項１乃至６の何れか１項に記載のマッサージ機能付きシャワーヘッド。
【請求項８】
前記結合ヘッドは、前記通水孔の周辺に凸設される固定部を備え、
前記押圧片は、前記当接面の反対面において前記結合ヘッドへ向かって凸設される位置決め部を備え、
前記弾力部は、両端が夫々前記固定部と位置決め部に環装されることを特徴とする請求項５に記載のマッサージ機能付きシャワーヘッド。
【請求項９】
前記蓋部は同心円状を呈し、前記ハンドルと反対する側に向かって凸設されることを特徴とする請求項７に記載のマッサージ機能付きシャワーヘッド。
【請求項１０】
五つのマッサージボールと、五つの貫通孔とを有することを特徴とする請求項９に記載のマッサージ機能付きシャワーヘッド。
【考案の詳細な説明】
【技術分野】
【０００１】
本考案は、特に回転可能なマッサージボールを備えるマッサージ機能付きシャワーヘッドに関するものである。
【背景技術】
【０００２】
従来のシャワーヘッドは、内部に湯水を流すための通水路が形成される握持部の先端に設けられる出水ヘッドと、該出水ヘッドに水密に設けられる蓋部と、該蓋部に形成される湯水を噴射するための複数の噴射孔とを有するものである。
さらに、従来の前記シャワーヘッドは、異なる孔径や形状、配列を有する複数の噴射孔を形成することにより、マッサージを提供すると共に、尚且つその湯水の噴出の態様及び水圧の強さも調節することができる。
【考案の開示】
【考案が解決しようとする課題】
【０００３】
しかしながら、従来のシャワーヘッドのマッサージ効果は、噴射の水圧に頼るものであるので、ヘッド部を利用して直接にマッサージをすることはできない。即ち、マッサージ効果を要求する使用者は、さらに他のマッサージ具を使用しなければならないという欠点があった。
【０００４】
そこで、案出されたのが本考案であって、回転可能なマッサージボールを備え、シャワーを浴びながらシャワーヘッドでマッサージをすることができるマッサージ機能付きシャワーヘッドを提供することを目的とする。
【課題を解決するための手段】
【０００５】
本願の請求項１の考案は、ハンドルと、蓋部と、複数のマッサージボールと、押圧部材とを有し、
前記ハンドルは、内部に湯水を通過させるための通水路が形成される握持部と、該握持部の前端に設けられると共に、該通水路と連通するように形成される通水孔とを有する結合ヘッドとを備え、
前記蓋部は、複数の貫通孔及び複数の噴射孔が貫設される蓋板と、該蓋板の後側から前記ハンドルへ向かって延出すると共に、前記結合ヘッドに設けられる螺合部とを備え、
前記複数のマッサージボールは、夫々回転可能に前記蓋板の複数の貫通孔に設けられ、
前記押圧部材は、前記ハンドルの結合ヘッドと前記蓋部との間に位置すると共に、前記マッサージボールと当接する押圧片と、該押圧片をマッサージボールに押圧させるために、該押圧片と結合ヘッドとの間に設けられる弾力部とを有することを特徴するマッサージ機能付きシャワーヘッド、を提供する。
【０００６】
本願の請求項２の考案は、前記弾力部がスプリングであることを特徴とする請求項１に記載のマッサージ機能付きシャワーヘッド、を提供する。
【０００７】
本願の請求項３の考案は、前記弾力部はリング状を呈し、一端が前記押圧片の周りに装着されると共に、他端が結合ヘッドへ向かって延出し、外周面に複数の開口が形成されることを特徴とする請求項１に記載のマッサージ機能付きシャワーヘッド、を提供する。
【０００８】
本願の請求項４の考案は、前記押圧片は、前記マッサージボールが当接する当接面と、該当接面における、マッサージボールに対応する箇所に凹設される凹面とを備えることを特徴とする請求項１に記載のマッサージ機能付きシャワーヘッド、を提供する。
【０００９】
本願の請求項５考案は、前記押圧片は、前記マッサージボールが当接する当接面と、該当接面のマッサージボールに対応する箇所に凹設される凹面とを備えることを特徴とする請求項２に記載のマッサージ機能付きシャワーヘッド、を提供する。
【００１０】
本願の請求項６考案は、前記押圧片は、前記マッサージボールが当接する当接面と、該当接面のマッサージボールに対応する箇所に凹設される凹面とを備えることを特徴とする請求項３に記載のマッサージ機能付きシャワーヘッド、を提供する。
【００１１】
本願の請求項７考案は、前記蓋部の螺合部と前記蓋板との間に環状の嵌合溝が形成され、
さらに、前記嵌合溝に嵌設されると共に、前記結合ヘッドに当接されるワッシャーを有することを特徴とする請求項１乃至６の何れか１項に記載のマッサージ機能付きシャワーヘッド、を提供する。
【００１２】
本願の請求項８考案は、前記結合ヘッドは、前記通水孔の周辺に凸設される固定部を備え、
前記押圧片は、前記当接面の反対面において前記結合ヘッドへ向かって凸設される位置決め部を備え、
前記弾力部は、両端が夫々前記固定部と位置決め部に環装されることを特徴とする請求項５に記載のマッサージ機能付きシャワーヘッド、を提供する。
【００１３】
本願の請求項９考案は、前記蓋部は同心円状を呈し、前記ハンドルと反対する側に向かって凸設されることを特徴とする請求項７に記載のマッサージ機能付きシャワーヘッド、を提供する。
【００１４】
本願の請求項１０は、五つのマッサージボールと、五つの貫通孔とを有することを特徴とする請求項９に記載のマッサージ機能付きシャワーヘッド、を提供する。
【考案の効果】
【００１５】
本考案は上記の課題を解決するものであり、回転可能なマッサージボールにより、シャワーを浴びながらシャワーヘッドでマッサージ効果を提供することができる。
【図面の簡単な説明】
【００１６】
【図１】本考案に係るマッサージ機能付きシャワーヘッドの第１実施例の斜視図である。
【図２】本考案に係るマッサージ機能付きシャワーヘッドの第１実施例の分解斜視図である。
【図３】本考案に係るマッサージ機能付きシャワーヘッドの第１実施例の部分断面図である。
【図４】本考案に係るマッサージ機能付きシャワーヘッドの第１実施例の使用状態を示す斜視図である。
【図５】本考案に係るマッサージ機能付きシャワーヘッドの第２実施例の分解斜視図である。
【図６】本考案に係るマッサージ機能付きシャワーヘッドの第２実施例の部分断面図である。
【考案を実施するための最良の形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は本考案に係るマッサージ機能付きシャワーヘッドの第１実施例の斜視図であり、図２は本考案に係るマッサージ機能付きシャワーヘッドの第１実施例の分解斜視図であり、図３は本考案に係るマッサージ機能付きシャワーヘッドの第１実施例の部分断面図であり、図４は本考案に係るマッサージ機能付きシャワーヘッドの第１実施例の使用状態を示す斜視図であり、図５は本考案に係るマッサージ機能付きシャワーヘッドの第２実施例の分解斜視図であり、図６は本考案に係るマッサージ機能付きシャワーヘッドの第２実施例の部分断面図である。
【００１９】
図１乃至図３に示すように、本考案に係るマッサージ機能付きシャワーヘッドの第１実施例は、ハンドル（１０）と、蓋部（２０）と、ワッシャー（３０）と、複数のマッサージボール（４０）と、押圧部材（５０）とを有する。
【００２０】
前記ハンドル（１０）は管状を呈し、内部に湯水を流すための通水路（１１１）が形成される握持部（１１）と、該握持部（１１）の前端周辺に設けられる環状の螺合部と、該螺合部の外周面に設けられる螺合面（１２１）と、中央に形成され、前記通水路（１１１）と連通する通水孔（１２２）と、該通水孔（１２２）の周辺に凸設される環状の固定部（１２３）とを備える結合ヘッド（１２）と、を有するものである。
【００２１】
前記蓋部（２０）は、前記ハンドル（１０）の結合ヘッド（１２）に装着されると共に、蓋板（２１）と螺合部（２２）を有し、その内、蓋板（２１）は同心円状を呈し、該ハンドル（１０）と反対する側に向かって凸設される複数の段差部と、該結合ヘッド（１２）と対向する円形の前面部と、該前面部に貫穿される複数の貫通孔（２１１）と、該段差部に所定の間隔で環状に貫穿される複数の噴射孔（２１２）と、を備えるものである。
【００２２】
前記螺合部（２２）は環状を呈すると共に、前記結合ヘッド（１２）に設けられ、前記蓋板（２１）の後側からハンドル（１０）へ向かって延出し、内周面に前記螺合面（１２１）に螺合されるねじ面と、前記蓋板（２１）との間に、前記ワッシャー（３０）を設置するための環状の嵌合溝（２２１）とを備えるものである。
【００２３】
前記ワッシャー（３０）は、前記蓋部（２０）とハンドル（１０）との間に水密に設置され、且つ前記螺合部（２２）の嵌合溝（２２１）に嵌設されると共に、前記結合ヘッド（１２）に当接するものである。
【００２４】
前記マッサージボール（４０）は、前記貫通孔（２１１）の外径よりやや大きい形状を呈し、前記蓋部（２０）の内部に位置する時、蓋部（２０）の外部へ突出するように、回転可能に蓋板（２１）の貫通孔（２１１）に設けられる。尚、本考案において、前記複数のマッサージボール（４０）は５個であるが、貫通孔（２１１）の数量に対応するものであれば何個でもよい。
【００２５】
本考案に係るマッサージ機能付きシャワーヘッドの第１実施例における前記押圧部材（５０）は、前記ハンドル（１０）の結合ヘッド（１２）と前記蓋部（２０）との間に位置すると共に、押圧片（５１）及び弾力部（５２）を有し、その内、押圧片（５１）は円盤状を呈し、前記蓋部（２０）の内部に設けられたマッサージボール（４０）に当接する当接面と、該当接面のマッサージボール（４０）と対応する箇所に凹設される凹面と、該当接面と反対する面の中央から結合ヘッド（２０）に向かって凸設されるロッド状の位置決め部（５１２）とを備え、前記弾力部（５２）は、前記押圧片（５１）に対してマッサージボール（４０）に当接するための押圧力を提供するため、前記押圧片（５１）と結合ヘッド（１２）との間に設置され、さらに、その一端は、前記結合ヘッド（１２）の固定部（１２３）に当接されると共に、他端は、前記押圧片（５１）の位置決め部（５２１）に環装される。尚、前記弾力部（５２）は、スプリングであってもよい。
【００２６】
図５及び６に示すように、本考案に係るマッサージ機能付きシャワーヘッドの第２実施例では、前記押圧部材（５０）が押圧片（５１Ａ）と弾力部（５２Ａ）を有し、その内、該押圧片（５１Ａ）は円形を呈し、前記蓋部（２０）の内部に設けられたマッサージボール（４０）が当接する当接面と、該当接面のマッサージボール（４０）と対応する箇所に凹設される凹面（５１１Ａ）とを備え、前記弾力部（５２Ａ）は、テーパーリング状を呈し、小径の端が該押圧片（５１Ａ）の円周に位置し、そこから結合ヘッド（１２）へ向かうにつれて大径となるように延出し、更に、該押圧片（５１Ａ）をマッサージボール（４０）に押圧させるために、弾力性を有し、外周面に形成される複数の四辺形の開口（５２１Ａ）を備えるものである。
【００２７】
図４に示すように、本考案のマッサージ機能付きシャワーヘッドを使用する時は、湯水を握持部（１１）の通水路（１１１）と結合ヘッド（１２）の通水孔（１２２）を介して蓋板（２０）の噴射孔（２１２）から噴出させ、蓋部（２０）の外部へ略突出する回転可能なマッサージボール（４０）を、肌に押し付けたり、押し付けながら移動させたりすれば、シャワーを浴びながらマッサージをすることができる。
【産業上の利用可能性】
【００２８】
本考案に係るマッサージ機能付きシャワーヘッドは上記の構成を有するので、回転可能なマッサージボールを備えるので、シャワーを浴びながらシャワーヘッドによりマッサージをすることができる。
【符号の説明】
【００２９】
１０            ハンドル
１１            握持部
１１１          通水路
１２            結合ヘッド
１２１          螺合面
１２２          通水孔
１２３          固定部
２０            蓋部
２１            蓋板
２１１          貫通孔
２１２          噴射孔
２２            螺合部
２２１          ワッシャー溝
３０            ワッシャー
４０            マッサージボール
５０            押圧部材
５１,５１Ａ      押圧片
５１１,５１１Ａ  凹面
５１２          位置決め部
５２,５２Ａ      弾力部
５２１Ａ        開口
【図１】
0003154334.tif 000003
【図２】
0003154334.tif 000004
【図３】
0003154334.tif 000005
【図４】
0003154334.tif 000006
【図５】
0003154334.tif 000007
【図６】
0003154334.tif 000008